(57)【特許請求の範囲】
【請求項１】
被写体像を撮像する撮像手段と、
前記撮像手段から出力される画像データの中から、あらかじめ指示されている領域に対応する前記画像データの一部の抽出画像データを抽出するデータ抽出手段と、
前記抽出画像データと前記画像データとをそれぞれ着脱可能なカードメモリに記録する記録制御手段と、
画像信号を表示する表示手段と、
前記画像データを拡大して前記表示手段に再生する拡大再生処理の開始に応じて前記抽出画像データを前記カードメモリから読み出す再生手段と、
前記再生手段により読み出される前記抽出画像データによる画像を表示するように前記表示手段に画像信号を出力する表示制御手段とを備えることを特徴とする電子カメラ。
【請求項２】
請求項１に記載の電子カメラにおいて、
前記あらかじめ指示されている領域は、測光方式により設定されている領域であることを特徴とする電子カメラ。
【請求項３】
被写体像を撮像する撮像手段と、
あらかじめ指示されている領域の位置を示す情報を生成する情報生成手段と、
前記撮像手段から出力される画像データの中から、あらかじめ指示されている領域に対応する抽出画像データを抽出するデータ抽出手段と、
前記画像信号を表示する表示手段と、
前記画像データに対して所定の圧縮処理を行う圧縮処理手段と、
前記圧縮処理手段が圧縮処理を行うとき、前記抽出画像データと圧縮処理後の前記画像データとをそれぞれ記録媒体に記録し、前記圧縮処理手段が圧縮処理を行わないとき、前記領域の位置を示す情報と未圧縮の前記画像データとをそれぞれ記録媒体に記録する記録制御手段と、
前記抽出画像データおよび前記圧縮処理後の前記画像データ、または前記情報および前記未圧縮の前記画像データを前記記録媒体から読み出す再生手段と、
前記再生手段により前記抽出画像データが読み出されるとき、前記抽出画像データによる画像を表示するように前記表示手段に画像信号を出力し、前記再生手段により前記情報が読み出されるとき、この情報に対応する前記画像データによる画像を表示するように前記表示手段に画像信号を出力する表示制御手段とを備えることを特徴とする電子カメラ。
【請求項４】
被写体像を撮像する撮像手段と、
あらかじめ指示されている領域の位置を示す情報を生成する情報生成手段と、
前記撮像手段から出力される画像データの中から、あらかじめ指示されている領域に  対応する抽出画像データを抽出するデータ抽出手段と、
前記画像データに対して所定の圧縮処理を行う圧縮処理手段と、
前記圧縮処理手段が圧縮処理を行う場合の前記画像データの圧縮率が所定値より高いか否かを判定する判定手段と、
前記判定手段により前記圧縮率が高いと肯定判定されているとき、前記領域の位置を示す情報と前記圧縮処理後の前記画像データとをそれぞれ記録媒体に記録し、前記判定手段により前記圧縮率が高くないと否定判定されているとき、前記抽出画像データと前記圧縮処理後の前記画像データとをそれぞれ記録媒体に記録する記録制御手段と、
前記記録媒体に読み出した画像データが圧縮処理されている場合に伸長処理を行なう再生手段と、
前記再生手段により前記情報が読み出されるとき、この情報に対応する前記伸長処理後の前記画像データによる画像を表示するように表示手段に画像信号を出力し、前記再生手段により前記抽出画像データが読み出されるとき、前記抽出画像データによる画像を表示するように表示手段に画像信号を出力する表示制御手段とを備えることを特徴とする電子カメラ。
【請求項５】
請求項３または４に記載の電子カメラにおいて、
前記圧縮処理手段は、前記抽出画像データと前記画像データとをそれぞれ圧縮処理し、
前記記録制御手段は、前記圧縮処理手段が圧縮処理を行うとき、圧縮処理後の前記抽出画像データおよび前記画像データをそれぞれ記録媒体に記録し、
前記再生手段は、前記記録媒体から読み出した抽出画像データが圧縮処理されている場合に伸長処理をさらに行うことを特徴とする電子カメラ。
【請求項６】
請求項１〜５のいずれか一項に記載の電子カメラにおいて、
前記データ抽出手段は、表示する表示手段の表示ドット数と略等しいデータ数を前記抽出画像データとして抽出することを特徴とする電子カメラ。
【請求項７】
請求項１、３、４、５、６のいずれか一項に記載の電子カメラにおいて、
前記あらかじめ指示されている領域は、ピント合わせに用いられる領域であることを特徴とする電子カメラ。
【発明の詳細な説明】
【０００１】
【発明の属する技術分野】
本発明は、撮影画像を電子画像データとして記録媒体に記録する電子カメラ、およびこのカメラで記録された画像データを表示する画像表示用記録媒体に関する。
【０００２】
【従来の技術】
ＬＣＤモニタを搭載し、記録媒体に記録された画像データをＬＣＤモニタに再生表示する電子スチルカメラ等が知られている。一般に、このような電子スチルカメラに搭載されるＬＣＤモニタは、画像データのデータ数に比べて表示ドット数が少ない。このため、画像データによる再生画像をＬＣＤモニタに表示する場合、画像データが所定の割合で間引き処理されて表示される。画像データが間引き処理されてＬＣＤモニタに表示されると、再生画像から撮影画像の細部を確認することが困難になる。とくに、所望の被写体にピントが合っているか否かを確認する場合は、所望の被写体が含まれる画像データの一部の領域を間引き処理することなくＬＣＤモニタの画面に表示させる必要がある。
【０００３】
【発明が解決しようとする課題】
記録媒体に記録された撮影画像の一部の領域をＬＣＤモニタに表示させるには、撮影画像のどの部分を表示するかを電子スチルカメラに対して指定する必要がある。また、記録媒体に記録されている画像データが圧縮処理後の画像データである場合には、画像データを伸長処理してからＬＣＤモニタに表示する必要がある。このため、記録媒体に記録されている画像データを読み出してピントの状態を確認するとき、直ちに確認したい領域の画像をＬＣＤモニタに表示するものがなかった。
【０００５】
【課題を解決するための手段】
（１）請求項１に記載の発明による電子カメラは、被写体像を撮像する撮像手段と、撮像手段から出力される画像データの中から、あらかじめ指示されている領域に対応する画像データの一部の抽出画像データを抽出するデータ抽出手段と、抽出画像データと画像データとをそれぞれ着脱可能なカードメモリに記録する記録制御手段と、画像信号を表示する表示手段と、画像データを拡大して表示手段に再生する拡大再生処理の開始に応じて抽出画像データをカードメモリから読み出す再生手段と、再生手段により読み出される抽出画像データによる画像を表示するように表示手段に画像信号を出力する表示制御手段とを備えることを特徴とする。
（２）請求項３に記載の発明による電子カメラは、被写体像を撮像する撮像手段と、あらかじめ指示されている領域の位置を示す情報を生成する情報生成手段と、撮像手段から出力される画像データの中から、あらかじめ指示されている領域に対応する抽出画像データを抽出するデータ抽出手段と、画像信号を表示する表示手段と、画像データに対して所定の圧縮処理を行う圧縮処理手段と、圧縮処理手段が圧縮処理を行うとき、抽出画像データと圧縮処理後の画像データとをそれぞれ記録媒体に記録し、圧縮処理手段が圧縮処理を行わないとき、領域の位置を示す情報と未圧縮の画像データとをそれぞれ記録媒体に記録する記録制御手段と、抽出画像データおよび圧縮処理後の画像データ、または情報および未圧縮の画像データを記録媒体から読み出す再生手段と、再生手段により抽出画像データが読み出されるとき、抽出画像データによる画像を表示するように表示手段に画像信号を出力し、再生手段により情報が読み出されるとき、この情報に対応する画像データによる画像を表示するように表示手段に画像信号を出力する表示制御手段とを備えることを特徴とする。
（３）請求項４に記載の発明による電子カメラは、被写体像を撮像する撮像手段と、あらかじめ指示されている領域の位置を示す情報を生成する情報生成手段と、撮像手段から出力される画像データの中から、あらかじめ指示されている領域に  対応する抽出画像データを抽出するデータ抽出手段と、画像データに対して所定の圧縮処理を行う圧縮処理手段と、圧縮処理手段が圧縮処理を行う場合の画像データの圧縮率が所定値より高いか否かを判定する判定手段と、判定手段により圧縮率が高いと肯定判定されているとき、領域の位置を示す情報と圧縮処理後の画像データとをそれぞれ記録媒体に記録し、判定手段により圧縮率が高くないと否定判定されているとき、抽出画像データと圧縮処理後の画像データとをそれぞれ記録媒体に記録する記録制御手段と、記録媒体に読み出した画像データが圧縮処理されている場合に伸長処理を行なう再生手段と、再生手段により情報が読み出されるとき、この情報に対応する伸長処理後の画像データによる画像を表示するように表示手段に画像信号を出力し、再生手段により抽出画像データが読み出されるとき、抽出画像データによる画像を表示するように表示手段に画像信号を出力する表示制御手段とを備えることを特徴とする。
【０００６】
なお、上記課題を解決するための手段の項では、本発明をわかりやすく説明するために実施の形態の図と対応づけたが、これにより本発明が実施の形態に限定されるものではない。
【０００７】
【発明の実施の形態】
以下、図面を参照して本発明の実施の形態を説明する。
−第一の実施の形態−
図１は、本発明の第一の実施の形態による電子スチルカメラの概要を示すブロック図である。図１において、電子スチルカメラは、撮影レンズ３０１と、ＣＣＤ３０２と、ＣＣＤドライバー３０３と、プリプロセス回路３０４と、Ａ／Ｄ変換回路３０５と、画像処理用ＡＳＩＣ３０６と、バッファメモリ３０７と、カードメモリ３０８と、フラッシュメモリ３０９と、ＬＣＤカラーモニタ３１０と、外部インターフェイス回路３１１と、メインＣＰＵ３１２と、操作部材３１３と、電源回路３１４と、フォーカスドライバー３１５とを有する。操作部材３１３には、不図示のレリーズボタンに連動する半押しスイッチおよび全押しスイッチと、記録モードと再生モードとを切換えるモード切換えスイッチと、後述するフォーカスエリア選択スイッチおよびメニュースイッチとが含まれている。操作部材３１３の各スイッチが操作されると、各スイッチによる操作信号がＣＰＵ３１２に送られる。ここで、記録モードは電子スチルカメラで撮影画像を記録する動作モードであり、再生モードは記録された画像を再生する動作モードである。
【０００８】
−記録モード−
操作部材３１３のモード切換えスイッチが記録モード側に操作されると、ＣＰＵ３１２は記録モード用のプログラムを起動する。半押しスイッチからの半押し操作信号がＣＰＵ３１２に入力されると、ＣＰＵ３１２は画像処理用ＡＳＩＣ３０６に対する制御信号を出力する。画像処理用ＡＳＩＣ３０６は、ＣＣＤドライバー３０３を介して撮像装置であるＣＣＤ３０２を駆動制御する。ＣＣＤドライバー３０３は、ＣＣＤ３０２に対して電荷蓄積および蓄積電荷読み出しのための動作タイミングを制御する。ＣＰＵ３１２はさらに、後述する焦点調節状態検出処理によって検出される撮影レンズ３０１の焦点調節状態に基づいて、フォーカスドライバー３１５に駆動信号を出力する。フォーカスドライバー３１５は撮影レンズ３０１内のフォーカスレンズを駆動してピント調節を行う。また、ＣＰＵ３１２は、不図示の測光装置によって検出される被写体輝度に基づいて所定の露出演算を行う。
【０００９】
半押しスイッチの操作信号に続いて全押しスイッチからの操作信号がＣＰＵ３１２に入力されると、ＣＣＤ３０２上に撮影レンズ３０１による被写体像が結像される。ＣＣＤ３０２は、入射される被写体光の明るさに応じて信号電荷を蓄積する。ＣＣＤ３０２に蓄積された信号電荷は、ＣＣＤドライバー３０３からのタイミング信号によって吐き出され、プリプロセス回路３０４に入力される。プリプロセス回路３０４はＡＧＣ回路やＣＤＳ回路を含み、アナログ画像信号に対して信号増幅、雑音除去、黒レベル調整などのアナログ信号処理を行う。Ａ／Ｄ変換回路３０５は、アナログ処理後のアナログ画像信号をディジタル信号に変換する。ディジタル変換された信号は画像処理用ＡＳＩＣ３０６に導かれ、輪郭補償やガンマ補正、色温度調整、色空間変換処理などの画像前処理が行われる。画像前処理後の画像データは、バッファ用メモリであるメモリ３０７に一旦格納される。
【００１０】
メモリ３０７に格納された画像前処理後の画像データは、画像処理用ＡＳＩＣ３０６により表示用の画像データに処理され、ＬＣＤカラーモニタ３１０などの外部モニタに撮影結果として表示される。画像データ処理には、バッファ用メモリ３０７が作業用メモリとして用いられる。
【００１１】
ＬＣＤカラーモニター３１０は、電子スチルカメラに設けられる小型の液晶表示器であり、ＣＣＤ３０２で撮像される画素数に対して表示画素数が少ない。そこで、ＣＣＤ３０２で撮像された被写体像をＬＣＤカラーモニタ３１０で表示する場合は、ＣＣＤ３０２による画素データがＬＣＤカラーモニタ３１０の表示解像度に合わせて所定の割合で間引きされ、表示用の画像データに処理される。
【００１２】
上述した画像前処理が行なわれた画像データに対してはさらに、画像処理用ＡＳＩＣ３０６がＪＰＥＧ圧縮のためのフォーマット処理（画像後処理）を行う。画像処理ＣＰＵ３０６は、画像後処理後の画像データをＪＰＥＧ方式で所定の比率にデータ圧縮する。ＪＰＥＧ方式にデータ圧縮を受けた画像データは、ＣＰＵ３１２により所定のファイル名を付与されてフラッシュメモリなどの着脱可能な不揮発性記録媒体（ＰＣカード、ＣＦカードなど）であるカードメモリ３０８に記録される。
【００１３】
フラッシュメモリ３０９には、ＣＰＵ３１２が上述した処理を行うためのプログラムが格納されている。ＣＰＵ３１２は、フラッシュメモリ３０９からプログラムを読み出して、バッファ用メモリ３０７を作業用メモリとしてプログラムを実行する。
【００１４】
電源回路３１４はＤＣ／ＤＣコンバータを備え、上述した各ブロックに対して所定の電源電圧を供給する。外部インターフェイス回路３１１は、パソコンやモニタなどの外部機器との間で画像データを送受する回路である。
【００１５】
上述したように、操作部材３１３にはフォーカスエリア選択スイッチが含まれている。フォーカスエリアは、撮影レンズ３０１による焦点位置の調節状態を自動的に検出する(オートフォーカス:ＡＦ)エリアである。図２に第一の実施の形態による電子スチルカメラの被写界に設けられているフォーカスエリアを示す。図２において、フォーカスエリアは、被写界の中央に位置するフォーカスエリアＡと、被写界の左上部のエリアからフォーカスエリアＡとの重複部分を除くフォーカスエリアＢと、被写界の右上部のエリアからフォーカスエリアＡとの重複部分を除くフォーカスエリアＣと、被写界の左下部のエリアからフォーカスエリアＡとの重複部分を除くフォーカスエリアＤと、被写界の右下部のエリアからフォーカスエリアＡとの重複部分を除くフォーカスエリアＥとの５つのフォーカスエリアを有する。
【００１６】
フォーカスエリア選択スイッチは、５つのフォーカスエリアのうちどのエリアで焦点位置の調節状態を検出するかを選ぶために用いられる。図３は、フォーカスエリア選択スイッチ３１３ａを示す図である。フォーカスエリア選択スイッチ３１３ａは上下左右の向きを示す操作信号を出力する。ＣＰＵ３１２は、図２のフォーカスエリアＡが選択されている状態でフォーカスエリア選択スイッチ３１３ａが上方向および右方向に操作されるとフォーカスエリアＣを選択し、フォーカスエリアＡが選択されている状態でフォーカスエリア選択スイッチ３１３ａが上方向および左方向に操作されるとフォーカスエリアＢを選択する。また、フォーカスエリアＤまたはＥが選択されている状態でフォーカスエリア選択スイッチ３１３ａが上方向に操作されるとフォーカスエリアＡを選択し、フォーカスエリアＢまたはＣが選択されている状態でフォーカスエリア選択スイッチ３１３ａが下方向に操作されるとフォーカスエリアＡを選択する。なお、フォーカスエリア選択スイッチ３１３ａは、後述する再生画像のコマ送りおよびコマ戻し操作、メニューの選択および決定操作にも使用される。
【００１７】
フォーカスエリア選択スイッチ３１３ａにより設定されるフォーカスエリアの情報は、ＣＰＵ３１２内に記憶され、ＣＰＵ３１２に半押しスイッチからの操作信号が入力されるとＣＰＵ３１２から読み出される。ＣＰＵ３１２は、画像処理ＣＰＵ３０６に指令を出して、選択されているフォーカスエリアが撮影者にわかるようにＬＣＤカラーモニタ３１０に囲い表示させる。囲い表示は、選択されているフォーカスエリアの輪郭を強調表示して行う。なお、半押し操作信号により行われるフォーカスエリアの囲い表示は、半押し操作信号が入力されて所定の時間が経過すると中止される。
【００１８】
ＡＦ動作は以下のように行われる。ＣＰＵ３１２は、ＣＣＤ３０１で撮像されてメモリ３０７に格納されている画像データのうち、設定されているフォーカスエリアに対応するデータからコントラストを検出する。そして、検出したコントラストに基づいて撮影レンズ３０１による焦点位置の調節状態を検出する。一般に、ＣＣＤ３０２上の画素位置と画素の出力値との関係は被写体像に応じた曲線を示し、曲線の変化が大きいほど被写体像のコントラストが高い。したがって、ＣＰＵ３１２は、被写体像のコントラストが最高となるように、いわゆる山登り法により焦点位置の調節状態を検出し、フォーカスドライバー３１５を駆動して撮影レンズ３０１の焦点位置を調整して合焦させる。
【００１９】
−再生モード−
操作部材３１３のモード切換えスイッチが再生モード側に操作されると、ＣＰＵ３１２は、再生モード用のプログラムを起動する。カードメモリ３０８に画像データが記録されている場合、記録されている画像データのうち一番最後に記録された画像データがＣＰＵ３１２に読み出される。読み出された画像データはバッファメモリ３０７に送られたのち、圧縮されているデータは画像処理ＣＰＵ３０６により伸長処理が施される。伸長処理後のデータは画像処理ＣＰＵ３０６により表示用の画像データに処理され、ＬＣＤカラーモニタ３１０に再生画像として表示される。圧縮されていないデータは、そのまま画像処理ＣＰＵ３０６により表示用の画像データに処理され、ＬＣＤカラーモニタ３１０に再生画像として表示される
【００２０】
ＬＣＤカラーモニタ３１０に再生画像が表示されているとき、フォーカスエリア選択スイッチ３１３ａが左方向に操作される（再生画像表示中は左方向の操作がコマ戻し操作として機能する）と、ＣＰＵ３１２は表示している画像データの１コマ前に記録された画像データをカードメモリ３０８から読み出す。読み出された画像データは、画像処理ＣＰＵ３０６により表示用画像データに処理されてＬＣＤカラーモニタ３１０に表示される。同様に、ＬＣＤカラーモニタ３１０に再生画像が表示されているとき、フォーカスエリア選択スイッチ３１３ａが右方向に操作されると、ＣＰＵ３１２は表示している画像データの１コマ後に記録された画像データをカードメモリ３０８から読み出す。読み出された画像データは、画像処理ＣＰＵ３０６により表示用画像データに処理されてＬＣＤカラーモニタ３１０に表示される。このように、再生処理では、フォーカスエリア選択スイッチ３１３ａを用いて再生画像のコマ送りおよびコマ戻しが行われる。
【００２１】
ＬＣＤカラーモニター３１０は、ＣＣＤ３０２で撮像される画素数に対して表示画素数が少ないのと同様に、カードメモリ３０８に記録されている画素データ数に対しても表示画素数が少ない。そこで、１コマの記録画像の全体をＬＣＤカラーモニタ３１０で表示する場合は、カードメモリ３０８から読み出される画像データをＬＣＤカラーモニタ３１０の表示解像度に合わせて所定の割合で間引きして、表示用の画像データに処理する。ここでは、カードメモリ３０８に記録されている１コマの画像データの全体を用いて処理される表示用画像データによる画像を本画像と呼ぶことにする。
【００２２】
再生モードでは、カードメモリ３０８から読み出される画像データをＬＣＤカラーモニタ３１０の表示解像度に合わせて間引きすることなく、読み出した画像データの一部をそのまま表示用の画像データに処理して表示することもできる。ＬＣＤカラーモニタ３１０に表示されるのは、その記録画像をカードメモリ３０８に記録する時に選択されていたフォーカスエリアに相当する部分である。このようなフォーカスエリアに相当する部分を用いて処理される表示用画像データによる画像を切り出し画像と呼ぶことにする。
【００２３】
切り出し画像の切り出し領域は、上述した図２に示す各フォーカスエリアの中心付近に位置する長方形領域であり、それぞれのフォーカスエリア内に破線によって図示されている。切り出し領域内の画像データは、間引き処理を行うことなくＬＣＤカラーモニタ３１０に表示される。すなわち、図２において破線で示される各切り出し領域のデータ数は、ＬＣＤカラーモニタ３１０の表示ドット数と一致する。再生モード時に再生画像を本画像表示するか、切り出し画像表示するかの設定は、後述するメニュー処理において行われる。
【００２４】
−メニュー処理−
メニュ−処理は、電子スチルカメラを詳細に設定するために行われる。上述したように、操作部材３１３にはメニュー処理を起動するメニュースイッチが含まれている。図４は、電子スチルカメラのＬＣＤカラーモニタ３１０に表示されるメニュー設定画面を説明する図である。メニュースイッチが操作されると、図４(a)のようなメニュー設定画面がＬＣＤカラーモニタ３１０に表示される。フォーカスエリア選択スイッチ３１３ａが上下方向に操作される（メニュー処理中は上下方向の操作がメニュー選択操作として機能する）ことにより、たとえば、メニューの中から「測光方式」の項目が選択される。フォーカスエリア選択スイッチ３１３ａが右方向に操作される（メニュー処理中は右方向の操作がメニュー決定操作として機能する）ことにより「測光方式」が決定されると、図４(b)のような測光方式に関するメニュー設定画面が表示ＬＣＤカラーモニタ３１０に表示される。
【００２５】
「測光方式」とは、ＣＰＵ３１２が行う露出演算において、被写界のどこで測光される被写体輝度輝度を用いて露出演算するかを設定するものである。「測光方式」には、被写界を所定数に分割して測光された各測光値を用いて露出演算を行う「マルチ」と、被写界中の所定の領域付近で測光された測光値を用いて露出演算を行う「スポット」と、被写界の各部で測光された測光値を用い、被写界の中央部にウェイトをおいて露出演算する「中央部重点」などがある。
【００２６】
図４(a)のメニュー設定画面がＬＣＤカラーモニタ３１０に表示されている状態で、メニューの中から「画質モード」の項目が選択して決定されると、図４(c)のような画質モードに関するメニュー設定画面が表示ＬＣＤカラーモニタ３１０に表示される。「画質モード」とは、上述した画像データをカードメモリ３０８に記録する際のデータ圧縮率を設定するものである。画像データを非圧縮のまま記録する「ＨＩ」と、画像データの符号量を約１／４にするように圧縮する「ＦＩＮＥ」と、画像データの符号量を約１／８にするように圧縮する「ＮＯＲＭＡＬ」と、画像データの符号量を約１／１６にするように圧縮する「ＢＡＳＩＣ」などがある。
【００２７】
図４(a)のメニュー設定画面が表示されている状態でフォーカスエリア選択スイッチ３１３ａを上下方向にさらに操作すると、図５(a)のような再生処理に関する項目が画面に現れる。フォーカスエリア選択スイッチ３１３ａを上下方向に操作して、たとえば、メニューの中から「再生方式」の項目を選択する。フォーカスエリア選択スイッチ３１３ａを右方向に操作することにより「再生方式」が決定され、図５(b)のような再生方式に関するメニュー設定画面が表示ＬＣＤカラーモニタ３１０に表示される。
【００２８】
「再生方式」とは、上述した再生画像を表示する際に本画像表示するか、切り出し画像表示するかの設定を行うものである。電子スチルカメラは、メニュー処理で設定されている「再生方式」に応じて、再生処理時に本画像表示または切り出し画像表示を行う。
【００２９】
メニュー処理では、操作者がフォーカスエリア選択スイッチ３１３ａを上下方向に操作して所望する項目を選択し、フォーカスエリア選択スイッチ３１３ａを右方向に操作して決定する。ＣＰＵ３１２は、操作者によって再びメニュースイッチが操作されるとメニュー処理を終了する。
【００３０】
第一の実施の形態による電子スチルカメラでは、記録モードにおいて画像データをカードメモリ３０８に記録するとき、１コマ分の画像データとともに切り出し画像表示用の情報をカードメモリ３０８に記録する。切り出し画像表示用の情報には、▲１▼切り出し領域の画像データそのものと、▲２▼カードメモリ３０８に記録される画像データの中で、切り出し領域の画像データの位置を示すものとがある。電子スチルカメラは、１コマ分の画像データを圧縮してカードメモリ３０８に記録する場合に、切り出し画像表示用の情報として上記▲１▼を記録し、１コマ分の画像データを非圧縮のままカードメモリ３０８に記録する場合に、切り出し画像表示用の情報として上記▲２▼を記録する。切り出し領域の画像データの位置を示すものとは、たとえば、切り出し領域の画像データが格納されるメモリアドレスである。
【００３１】
再生モードにおいて再生画像をＬＣＤカラーモニタ３１０に表示するとき、本画像表示する場合は圧縮されている１コマ分の画像データをカードメモリ３０８から読み出して、伸長処理後にＬＣＤカラーモニタ３１０に表示する。一方、切り出し画像表示する場合は、▲１▼切り出し画像データがカードメモリ３０８に記録されているとき、切り出し画像データをカードメモリ３０８から読み出して表示し、▲２▼切り出し画像表示用の情報がカードメモリ３０８に記録されているとき、非圧縮の１コマ分の画像データのうち切り出し画像表示用の情報に基づいて抽出した画像データをカードメモリ３０８から読み出して表示する。
【００３２】
上述した電子カメラのＣＰＵ３１２で行われるメイン処理の流れを図６のフローチャートを参照して説明する。ＣＰＵ３１２は、電子スチルカメラの不図示の電源スイッチがオンされると、フラッシュメモリ３０９からメイン処理プログラムを読み出して起動する。ステップＳ１１において、ＣＰＵ３１２は、各ブロックを初期化してステップＳ１２へ進む。ステップＳ１２において、ＣＰＵ３１２は、圧縮方式の選択が行われるか否かを判定する。上述したメニュー処理で「画質モード」が選択されると肯定判定してステップＳ１３へ進み、「画質モード」が選択されない場合は否定判定してステップＳ１４へ進む。ステップＳ１３において、ＣＰＵ３１２は、画質モードの設定内容に基づいてデータ圧縮時の圧縮率を決定し、ステップＳ１４へ進む。
【００３３】
ステップＳ１４において、ＣＰＵ３１２は、フォーカスエリアの選択が行われるか否かを判定する。上述したフォーカスエリア選択スイッチ３１３ａが操作されると肯定判定してステップＳ１５へ進み、フォーカスエリア選択スイッチ３１３ａが操作されない場合は否定判定してステップＳ１６へ進む。ステップＳ１５において、ＣＰＵ３１２は、フォーカスエリア選択スイッチ３１３ａからの操作信号によりＡＦ動作時に用いるフォーカスエリアを変更し、ステップＳ１６へ進む。
【００３４】
ステップＳ１６において、ＣＰＵ３１２は、再生方式の選択が行われるか否かを判定する。上述したメニュー処理で「再生方式」が選択されるとステップＳ１６を肯定判定してステップＳ１７へ進み、「再生方式」が選択されない場合は、ステップＳ１６を否定判定してステップＳ１８へ進む。ステップＳ１７において、ＣＰＵ３１２は、再生方式の設定内容に基づいて再生モード時に本画像表示するか、および切り出し画像表示するかを決定し、ステップＳ１８へ進む。
【００３５】
ステップＳ１８において、ＣＰＵ３１２は、モード切換えスイッチが記録モードに操作されたか否かを判定する。モード切り換えスイッチが記録モードに切り換えられるとステップＳ１８を肯定判定してステップＳ１９に進み、モード切り換えスイッチが記録モードでない場合は、ステップＳ１８を否定判定してステップＳ２０へ進む。ステップＳ１９において、ＣＰＵ３１２は、記録モードのプログラムを起動して記録処理を行い、ステップＳ２０に進む。
【００３６】
ステップＳ２０において、ＣＰＵ３１２は、モード切換えスイッチが再生モードに操作されたか否かを判定する。モード切り換えスイッチが再生モードに切り換えられるとステップＳ２０を肯定判定してステップＳ２１に進み、モード切り換えスイッチが再生モードでない場合は、ステップＳ２０を否定判定してステップＳ２２へ進む。ステップＳ２１において、ＣＰＵ３１２は、再生モードのプログラムを起動して再生処理を行い、ステップＳ２２に進む。
【００３７】
ステップＳ２２において、ＣＰＵ３１２は、たとえば、カメラが所定時間操作されない場合の省電力動作など、状態変化に伴う処理を行い、ステップＳ１２へ戻る。
【００３８】
図７は、記録モードのプログラムにおいて、ＣＰＵ３１２で行われる処理の流れを表すフローチャートである。ステップＳ３１において、ＣＰＵ３１２は、撮影可能か否かを判定する。撮影可能と肯定判定するとステップＳ３２へ進み、カードメモリ３０８が装着されていないなどの理由により撮影不可能と判定すると否定判定して図７の処理を終了する。
【００３９】
ステップＳ３２において、ＣＰＵ３１２は、設定されている「測光方式」による測光結果を用いて露出演算を行い、設定されているフォーカスエリアによる画像データからＡＦ演算を行う。ステップＳ３３において、ＣＰＵ３１２は、ＡＦ演算結果に基づいてフォーカスドライバー３０３を駆動し、撮影レンズ３０１のフォーカスレンズを駆動する。ステップＳ３４において、ＣＰＵ３１２は、露出演算結果に基づいてＣＣＤドライバー３０３に露出設定を行う。ステップＳ３５において、ＣＰＵ３１２は、ＣＣＤドライバー３０３によりＣＣＤ３０２の電荷を掃き出させる。
【００４０】
ステップＳ３６において、ＣＰＵ３１２は、ＣＣＤ３０２に電荷を蓄積させてステップＳ３７に進む。ステップＳ３７において、ＣＰＵ３１２は、ＣＣＤドライバー３０３によりＣＣＤ３０２の電荷を読み出させる。ステップＳ３８において、ＣＰＵ３１２は画像処理ＣＰＵ３０６にホワイトバランス演算を行わせ、ステップＳ３９においてガンマ処理を行わせる。ステップＳ４０において、ＣＰＵ３１２は、撮像された１コマの画像データを５つのフォーカスエリアに対応するように分割する。この場合の分割は、画像データが格納されているバッファメモリ３０７の中で、フォーカスエリアの境界のデータが格納されるメモリアドレスを求めるのみでよい。
【００４１】
ステップＳ４１において、ＣＰＵ３１２は、画像圧縮するか否かを判定する。画質モードが「ＦＩＮＥ」，「ＮＯＲＭＡＬ」，「ＢＡＳＩＣ」のいずれかに設定されている場合は肯定判定してステップＳ４２へ進み、「ＨＩ」に設定されている場合は否定判定してステップＳ４４に進む。ステップＳ４２において、ＣＰＵ３１２は、設定されているフォーカスエリアに対応する切り出し領域の画像データを１コマの画像データから抽出し、ステップＳ４３へ進む。
【００４２】
ステップＳ４３において、ＣＰＵ３１２は、画像処理ＣＰＵ３０６に指令を出力して１コマ分の画像データを所定の圧縮率でデータ圧縮させる。データ圧縮が終了するとステップＳ４５に進む。ステップＳ４５において、ＣＰＵ３１２は、データ圧縮後の１コマの画像データと、抽出されている切り出し領域の情報とをカードメモリ３０８に記録する。切り出し領域の情報は、上述したステップＳ４２で切り出し画像データが抽出されている場合は抽出された切り出し画像データである。また、後述するステップＳ４４で座標が抽出されている場合は抽出された座標データである。ステップＳ４６において、ＣＰＵ３１２は、撮影処理が終了か否かを判定し、肯定判定すると図７の処理を終了する。撮影処理が終了でないと否定判定すると、ＣＰＵ３１２は再び判定処理を繰り返す。
【００４３】
一方、上述したステップＳ４１で否定判定されて進むステップＳ４４において、ＣＰＵ３１２は、設定されているフォーカスエリアに対応する座標を抽出し、ステップＳ４５へ進む。座標とは、１コマの画像データをメモリ空間に展開する場合に、フォーカスエリアに対応する切り出し領域の画像データがどこに位置しているかを示すものである。
【００４４】
図８は、再生モードのプログラムにおいて、ＣＰＵ３１２で行われる処理の流れを表すフローチャートである。ステップＳ５１において、ＣＰＵ３１２は、拡大再生を行うか否かを判定する。「再生方式」が「切り出し画像」に設定されている場合はステップＳ５１を肯定判定してステップＳ５２へ進み、「再生方式」が「本画像」に設定されている場合は、ステップＳ５１を否定判定してステップＳ５６に進む。ステップＳ５２において、ＣＰＵ３１２は、拡大用画像がカードメモリ３０８に記録されているか否かを判定する。ＣＰＵ３１２は、切り出し画像データがカードメモリ３０８に記録されているとステップＳ５２を肯定判定してステップＳ５３に進み、切り出し画像データがカードメモリ３０８に記録されていないとステップＳ５２を否定判定してステップＳ５４に進む。
【００４５】
ステップＳ５３において、ＣＰＵ３１２は、カードメモリ３０８に記録されている切り出し画像データの先頭アドレスを検索してステップＳ５５へ進む。ステップＳ５５において、ＣＰＵ３１２は、検索された格納アドレスに記録されている切り出し領域の画像データを読み出し、ＬＣＤカラーモニタ３１０に表示させ、図８の処理を終了する。
【００４６】
上述したステップＳ５２で否定判定されて進むステップＳ５４において、ＣＰＵ３１２は、カードメモリ３０８からフォーカスエリアに対応する座標を読み出し、読み出した座標を用いて、カードメモリ３０８に記録されている１コマの画像データの中でフォーカスエリアに対応するデータが格納されている先頭アドレスを検索してステップＳ５５へ進む。
【００４７】
上述したステップＳ５１で否定判定されて進むステップＳ５６において、ＣＰＵ３１２は、カードメモリ３０８に記録されている１コマの画像データの先頭アドレスを検索してステップＳ５７へ進む。ステップＳ５７において、ＣＰＵ３１２は、検索された格納アドレスに記録されている１コマの画像データを読み出し、ＬＣＤカラーモニタ３１０に表示させ、図８の処理を終了する。
【００４８】
以上説明した第一の実施の形態によれば、次の作用効果が得られる。
（１）データ圧縮しない(画質モードがＨＩ)で画像データをカードメモリ３０８へ記録する場合、記録モード時に画像データをカードメモリ３０８に記録するとき、フォーカスエリアに対応する切り出し画像データだけを読み出すために必要な情報、すなわち、切り出し画像データの座標を抽出(ステップＳ４４)し、１コマ分の非圧縮の画像データとともにカードメモリ３０８に記録する(ステップＳ４５)ようにした。再生モード時に切り出し画像表示を行うとき、カードメモリ３０８に記録されている切り出し画像データの座標からフォーカスエリアに対応するデータが格納されている先頭アドレスを検索(ステップＳ５４)し、このアドレスを用いて切り出し画像データだけをカードメモリ３０８から読み出してＬＣＤカラーモニタ３１０に表示するようにした。したがって、カードメモリ３０８に記録されている１コマ分の画像データの全てを読み出してから切り出し画像データだけを表示する場合に比べて、読み出すデータ量を少なくできるので、表示に要する時間を短縮することができる。この結果、撮影後直ちにフォーカス領域の画像をＬＣＤカラーモニタ３１０に表示することができるから、ピント合わせの状態の確認を素早く行うことが可能になる。
（２）データ圧縮して(画質モードがＦＩＮＥ，ＮＯＲＭＡＬ，ＢＡＳＩＣ)画像データをカードメモリ３０８へ記録する場合、記録モード時に画像データをカードメモリ３０８に記録するとき、１コマ分の画像データから切り出し画像データだけを抽出(ステップＳ４２)し、１コマ分の圧縮後の画像データとともにカードメモリ３０８に圧縮せずに記録する(ステップＳ４５)ようにした。再生モード時に切り出し画像表示を行うとき、カードメモリ３０８に記録されている切り出し画像データが格納されているアドレスを検索(ステップＳ５３)し、切り出し画像データだけをカードメモリ３０８から読み出してＬＣＤカラーモニタ３１０に表示するようにした。したがって、カードメモリ３０８から圧縮後の１コマ分の画像データを全て読み出して伸長処理してから切り出し画像データだけを抽出して表示する場合に比べて、読み出すデータ量を少なくできるので、表示に要する時間を短縮することができる。この結果、撮影後直ちにフォーカス領域の画像をＬＣＤカラーモニタ３１０に表示し、撮影画像を素早く確認することが可能になる。
【００４９】
上述したステップＳ４５において、ＣＰＵ３１２はデータ圧縮後の１コマの画像データと、抽出されている切り出し領域の情報とをカードメモリ３０８に記録する。ＣＰＵ３１２が切り出し領域の情報としてステップＳ４２で抽出された切り出し画像データをカードメモリ３０８に記録するとき、切り出し画像データは非圧縮のままカードメモリ３０８に記録される。この代わりに、切り出し画像データを１コマの画像データと同様に圧縮してからカードメモリ３０８に記録するようにしてもよい。この場合には、切り出し画像データのデータ圧縮率は、１コマの画像データのデータ圧縮率に近い圧縮率で圧縮するのが好ましい。
【００５０】
−第二の実施の形態−
第二の実施の形態による電子スチルカメラは、記録モードにおいて画像データをカードメモリ３０８に記録するとき、設定されている「画質モード」が「ＢＡＳＩＣ」の場合、すなわち、データ圧縮率が高い場合に、圧縮後の１コマ分の画像データとともにカードメモリ３０８に記録する切り出し画像表示用の情報を、切り出し領域の画像データの位置情報(たとえば、メモリ空間における座標)とする。
【００５１】
図９は、第二の実施の形態による記録モードのプログラムにおいて、ＣＰＵ３１２で行われる処理の流れを表すフローチャートである。第一の実施の形態による図７のフローチャートとの相違点は、ステップＳ４１Ａ，ステップＳ４１ＢおよびステップＳ４１Ｃであるので、これら相違点について説明する。
【００５２】
図９のステップＳ４１において肯定判定されて進むステップＳ４１Ａにおいて、ＣＰＵ３１２は、設定されている「画質モード」が「ＢＡＳＩＣ」か否かを判定する。「画質モード」が「ＢＡＳＩＣ」の場合は肯定判定してステップＳ４１Ｂに進み、「画質モード」が「ＢＡＳＩＣ」でない場合は否定判定してステップＳ４２に進む。
【００５３】
ステップＳ４１Ｂにおいて、ＣＰＵ３１２は、設定されているフォーカスエリアに対応する座標を抽出し、ステップＳ４１Ｃへ進む。座標とは、１コマの画像データをメモリ空間に展開する場合に、フォーカスエリアに対応する切り出し領域の画像データがどこに位置しているかを示すものである。ステップＳ４１Ｃにおいて、ＣＰＵ３１２は、画像処理ＣＰＵ３０６に指令を出力して１コマ分の画像データを所定の圧縮率でデータ圧縮させる。データ圧縮が終了するとステップＳ４５に進む。この場合には、ステップＳ４５において、ＣＰＵ３１２は、データ圧縮後の１コマの画像データと、抽出されている切り出し領域の情報とをカードメモリ３０８に記録する。切り出し領域の情報は、ステップＳ４１Ｂで抽出されている座標データである。
【００５４】
データ圧縮率が高い場合(ＢＡＳＩＣ)はデータ圧縮後の符号量が少なくなるので、カードメモリ３０８に記録した圧縮後の１コマ分の画像データを読み出すのに要する時間が短くなる。したがって、再生モードにおいて切り出し画像表示を行う場合、１コマ分の圧縮後の画像データを読み出して伸長処理を施してから、切り出し領域の情報に基づいて切り出し画像データを抽出して、切り出し画像表示を行うようにする。ステップＳ４１Ｂでは、再生モードにおいて伸長処理後に切り出し画像データを抽出するために必要な情報、すなわち、フォーカスエリアに対応する座標を抽出する。
【００５５】
一方、データ圧縮率が低い場合(ＦＩＮＥ，ＮＯＲＭＡＬ)は、データ圧縮後の符号量が圧縮前に比べて大きく減らないので、カードメモリ３０８に記録した圧縮後の１コマ分の画像データを読み出すのに要する時間が長くなる。したがって、再生モードにおいて切り出し画像表示を行う場合、１コマ分の画像データと別に記録した切り出し画像データだけを読み出して、切り出し画像表示を行うようにする。ステップＳ４２では、１コマ分の画像データ別に、フォーカスエリアに対応する切り出し画像データを抽出する。
【００５６】
以上説明した第二の実施の形態によれば、次の作用効果が得られる。
（１）データ圧縮率が高い(ＢＡＳＩＣ)か否かを判定(ステップＳ４１Ａ)し、圧縮率が高い場合は、フォーカスエリアに対応する切り出し画像データだけを読み出すために必要な情報、すなわち、切り出し画像データの座標を抽出(ステップＳ４１Ｂ)し、１コマ分の圧縮後の画像データとともにカードメモリ３０８に記録する(ステップＳ４５)ようにした。再生モード時に切り出し画像表示を行うとき、カードメモリ３０８に記録されている切り出し画像データの座標からフォーカスエリアに対応するデータが格納されている先頭アドレスを検索(ステップＳ５４)し、カードメモリ３０８から読み出して伸長処理した画像データから上記検索したアドレスを用いて抽出される切り出し画像データをＬＣＤカラーモニタ３１０に表示するようにした。圧縮率が高い場合は、カードメモリ３０８に記録されている１コマ分の圧縮後の画像データの読み出しに要する時間が短いので、切り出し画像データ表示用に切り出し画像データを記録しなくてもよい。この結果、カードメモリ３０８の使用量を節約することが可能になる。
（２）データ圧縮率が低い(ＦＩＮＥ，ＮＯＲＭＡＬ)場合は、第一の実施の形態と同様に、記録モード時に画像データをカードメモリ３０８に記録するとき、１コマ分の画像データから切り出し画像データだけを抽出(ステップＳ４２)し、１コマ分の圧縮後の画像データとともにカードメモリ３０８に記録する(ステップＳ４５)ようにした。したがって、再生モード時に切り出し画像表示する場合の表示に要する時間を短縮することができるから、撮影後ただちにフォーカス領域のピント合わせの状態を確認することが可能になる。
【００５７】
上記の説明においてピント合わせの状態を確認するとは、主要被写体に合焦しているか否かを確認したり、主要被写体の背景のボケ具合を確認したり、被写界深度を確認することなどを含む。
【００５８】
フォーカスエリアは、あらかじめ用意されるＡ〜Ｅの５つのエリアから選択されるように説明したが、被写界中から任意の領域を選択可能としてもよい。この場合には、任意に選択されたフォーカスエリアに応じて切り出し画像データの領域が設定されるようにする。
【００５９】
また、切り出し画像データの領域はフォーカスエリアに対応して設定されるように説明したが、フォーカス領域の代わりに、「測光方式」により設定されている領域、すなわち、ＡＥ領域に対応して設定されるようにしてもよい。
【００６０】
さらにまた、切り出し画像データの領域をフォーカスエリアに関係なく、被写界中から任意の領域を選択可能としてもよい。この場合には、任意に選択されたエリアに応じて切り出し画像データの領域が設定されるようにする。
【００６１】
ピント合わせの状態の確認の代わりに、露出の確認や、ホワイトバランス調整の確認をするようにしてもよい。この場合には、ＬＣＤカラーモニタ３１０に表示される切り出し画像によって、主要被写体の白とびや黒つぶれの有無、ホワイトバランス調整不良による色かぶりの有無を確認する。
【００６３】
【発明の効果】
本発明による電子カメラでは、記録媒体に記録されている画像の所定領域を素早く再生表示できる。
【図面の簡単な説明】
【図１】第一の実施の形態による電子スチルカメラの概要を示すブロック図である。
【図２】被写界に設けられているフォーカスエリアを示す図である。
【図３】フォーカスエリア選択スイッチ３１３ａを示す図である。
【図４】  (a)メニュー設定画面を説明する図、(b)測光方式に関するメニュー設定画面の図、(c)画質モードに関するメニュー設定画面の図である。
【図５】  (a)メニュー設定画面を説明する図、(b)再生方式に関するメニュー設定画面の図である。
【図６】メイン処理の流れを表すフローチャートである。
【図７】記録モード処理の流れを表すフローチャートである。
【図８】再生モード処理の流れを表すフローチャートである。
【図９】第二の実施の形態による記録モード処理の流れを表すフローチャートである。
【符号の説明】
３０１…撮影レンズ、               ３０２…ＣＣＤ、
３０６…画像処理用ＡＳＩＣ、       ３０７…バッファメモリ、
３０８…カードメモリ、             ３０９…フラッシュメモリ、
３１０…ＬＣＤカラーモニタ、       ３１２…メインＣＰＵ、
３１３…操作部材
【図１】
0004507392.tif 000002
【図２】
0004507392.tif 000003
【図３】
0004507392.tif 000004
【図４】
0004507392.tif 000005
【図５】
0004507392.tif 000006
【図６】
0004507392.tif 000007
【図７】
0004507392.tif 000008
【図８】
0004507392.tif 000009
【図９】
0004507392.tif 000010